(57)【要約】【課題】本発明は第３の情報提供者が容易に移動通信システムのセル放送サービス（ＣＢＳ）を利用して特定サービス地域内にある不特定多数の移動通信端末でメッセージを放送するようにする開放型ＡＰＩを利用したメッセージ放送サービス提供システム及びその方法に関する。【解決手段】メッセージ放送応用サーバーを通して第３の情報提供者に放送メッセージ作成及びサービス地域の構成のための使用者インタフェースを提供し、上記使用者インタフェースを通して第３の情報提供者から放送メッセージ送信要請を受信すると、この要請に応じて設定された構造の放送メッセージ送信要請命令あるいは取り消し命令あるいは状態質疑命令を生成した後、Ｐａｒｌａｙゲートウェイの開放型ＡＰＩを通して移動通信システムのＣＢＣで処理されるようにする。【選択図】図１
2007104617.tif 000002
【特許請求の範囲】
【請求項１】
開放型ＡＰＩを通して移動通信システムのセル放送サービス（ＣＢＳ）能力を利用し多数の移動通信端末に放送メッセージを送る開放型ＡＰＩを利用したメッセージ放送サービス提供方法において、
第３の情報提供者に放送メッセージ作成及びサービス地域の構成のための使用者インタフェースを提供する段階；
上記使用者インタフェースを通して第３の情報提供者から放送メッセージ伝送要請を受信する段階；
上記第３の情報提供者の放送メッセージ伝送要請を受信すると、上記使用者インタフェースを通して作成された放送メッセージとサービス地域を利用して放送メッセージ伝送要請命令を生成する段階；及び
開放型ＡＰＩを通して上記放送メッセージ伝送要請命令を移動通信システムのフォーマットに変換して移動通信システムに伝達する段階を含むことを特徴とするとする開放型ＡＰＩを利用したメッセージ放送サービス提供方法。
【請求項２】
上記放送メッセージ伝送要請命令は
該メッセージが放送されるサービス地域、情報提供者が要請した放送メッセージ、該メッセージの放送回数を表す繰り返し回数、メッセージ放送を繰り返す場合のメッセージ間の時間間隔を表す放送周期を含むことを特徴とする請求項１に記載の開放型ＡＰＩを利用したメッセージ放送サービス提供方法。
【請求項３】
上記放送メッセージ伝送要請命令は
メッセージの送信者として放送されたメッセージに表示される送信者名前、該メッセージが最初に放送される時間を表す伝送時間、繋がった相互作用のための接続ポイントで使用されるコールバック住所を選択的にさらに含むことを特徴とする請求項２に記載の開放型ＡＰＩを利用したメッセージ放送サービス提供方法。
【請求項４】
上記放送メッセージ伝送要請命令に伝送時間が含まれない場合、該放送メッセージは移動通信システムから直ちに伝送されることを特徴とする請求項３に記載の開放型ＡＰＩを利用したメッセージ放送サービス提供方法。
【請求項５】
開放型ＡＰＩを通して移動通信システムから伝達された放送メッセージ伝送要請識別値を受信する段階；及び
上記受信された放送メッセージ伝送要請識別値を保存する段階をさらに含むことを特徴とする請求項１に記載の開放型ＡＰＩを利用したメッセージ放送サービス提供方法。
【請求項６】
上記提供された使用者インタフェースを通して第３の情報提供者から以前に要請された放送メッセージ伝送要請に対する伝送状態の確認の要求を受ける段階；
上記要求された放送メッセージ伝送要請の識別値を因子として放送状態質疑命令を生成する段階；
上記生成された放送状態質疑命令を開放型ＡＰＩを通して移動通信システムのプロトコルフォーマットに変換して移動通信システムに伝達する段階；
上記放送状態質疑命令に対する回答メッセージとして移動通信システムの放送状態の確認結果を開放型ＡＰＩを通して受信する段階；及び
上記受信された放送状態の確認結果を使用者インタフェースを通して上記第３の情報提供者に提供する段階をさらに含むことを特徴とする請求項５に記載の開放型ＡＰＩを利用したメッセージ放送サービス提供方法。
【請求項７】
上記放送状態質疑確認結果は
メッセージ放送要請をしたサービス地域と、上記各サービス地域に対する伝送状態値の対で表されることを特徴とする請求項６に記載の開放型ＡＰＩを利用したメッセージ放送サービス提供方法。
【請求項８】
上記放送状態質疑確認結果は
該放送メッセージの伝送要請を受信したが、直ちに伝送されなかったことを表すメッセージ伝送待機、
移動通信システムで該伝送メッセージの伝送中もしくはリトライ中であることを表すメッセージ伝送、
移動通信システムから放送メッセージの伝送が成功したことを表す伝達、
放送メッセージの処理状態が不確実であることを表す不確実な伝達、
伝送中にエラーが発生したり、これ以上伝送の試みができない場合を表す伝達不可、
該放送メッセージの有効期間が過ぎた場合を表す伝送解除、
該放送メッセージが削除されたことを表す削除中の一つを表す状態値からなることを特徴とする請求項６に記載の開放型ＡＰＩを利用したメッセージ放送サービス提供方法。
【請求項９】
上記提供された使用者インタフェースを通して第３の提供者から以前に要請された放送メッセージ伝送要請に対する取り消し要求を受信する段階；
上記要求された放送メッセージ伝送要請の識別値を因子として取り消し要請命令を生成する段階；及び
上記生成された取り消し要請命令を開放型ＡＰＩを通して移動通信システムのフォーマットに変換して移動通信システムに伝達する段階を含むことを特徴とする請求項５に記載の開放型ＡＰＩを利用したメッセージ放送サービス提供方法。
【請求項１０】
上記メッセージ放送応用サーバーと開放型ＡＰＩ間に伝達される命令及び回答はＳＯＡＰ（Ｓｉｍｐｌｅ  Ｏｂｊｅｔ  Ａｃｃｅｓｓ  Ｐｒｏｔｏｃｏｌ）メッセージであることを特徴とする請求項１乃至９中のいずれか１項に記載の開放型ＡＰＩを利用したメッセージ放送サービス提供方法。
【請求項１１】
上記開放型ＡＰＩを通して移動通信システムに伝達される命令及び回答はＳＭＰＰ（Ｓｈｏｒｔ  Ｍｅｓｓａｇｅ  Ｐｅｅｒ−ｔｏ−Ｐｅｅｒ）プロトコルに従うことを特徴とする請求項１乃至９中のいずれか１項に記載の開放型ＡＰＩを利用したメッセージ放送サービス提供方法。
【請求項１２】
第３の情報提供者が移動通信システムのセル放送センター（ＣＢＣ）を通して特定サービス地域に存在する移動通信端末に放送メッセージを伝送できるようにする開放型ＡＰＩを利用したメッセージ放送サービス提供システムにおいて、
第３の情報提供者が放送メッセージの作成及び放送メッセージを伝送するサービス地域を構成できるように使用者インタフェースを提供し、上記使用者インタフェースを通して伝達された第３の情報提供者の放送メッセージ及びサービス地域情報に基づいてメッセージ放送のための開放型ＡＰＩを呼び出すメッセージ放送応用サーバー；及び
移動通信システムの下部網資源とプロトコル連動によって、上記メッセージ放送応用サーバーのメッセージ放送サービスと係わる要請を移動通信システムのＣＢＣのプロトコルに合わせて変換してから上記ＣＢＣに伝達し、上記ＣＢＣから伝達されたメッセージを逆変換して上記メッセージ放送応用サーバーに伝達するパーレイ（Ｐａｒｌａｙ）ゲートウェイを含む開放型ＡＰＩを利用したメッセージ放送サービス提供システム。
【請求項１３】
上記メッセージ放送応用サーバーは
情報提供者がサービス地域を構成し、放送メッセージを作成できるように支援する使用者インタフェースを提供し、上記使用者インタフェースを通して情報提供者からメッセージ放送サービスと係わる要請を受信したり、メッセージ放送サービスと係わる情報を使用者に提供する使用者インタフェース処理部；
上記使用者インタフェース処理部においてサービス地域を構成するのに必要な地図データを保存するデータベース；及び
上記使用者インタフェース処理部を通して受信された情報提供者の要請に応じて放送メッセージの処理に対する命令を構成して開放型ＡＰＩを呼び出し、それに対する回答を受信するメッセージ放送処理ロジック部を含むことを特徴とする請求項１２に記載の開放型ＡＰＩを利用したメッセージ放送サービス提供システム。
【請求項１４】
上記メッセージ放送処理ロジック部は
上記使用者インタフェース処理部を通して受信された情報提供者の要請に応じて設定された形態で放送メッセージ処理命令を生成し、各放送メッセージに対するログ情報を管理するメッセージ構成及び管理ブロック；
上記メッセージ構成及び管理ブロックで管理される放送メッセージのログ情報を保存する保存部；及び
開放型ＡＰＩを呼び出して上記メッセージ構成及び管理ブロックで構成された放送メッセージ処理命令及び質疑を移動通信システムに伝送し、それに対する回答を受信して上記メッセージ構成及び管理ブロックに伝達するゲートウェイ連動ブロックを含むことを特徴とする請求項１３に記載の開放型ＡＰＩを利用したメッセージ放送サービス提供システム。
【請求項１５】
上記Ｐａｒｌａｙゲートウェイは
ＣＢＳ−ＡＰＩ呼び出しに応じて移動通信システムの網資源とプロトコル連動を通して上記メッセージ放送応用サーバーの要請をマッピング変換して移動通信システムのＣＢＣに伝達し、それに対する回答を逆変換して上記メッセージ放送応用サーバーに提供するＣＢＳ−ＳＣＦを含むことを特徴とする請求項１２に記載の開放型ＡＰＩを利用したメッセージ放送サービス提供システム。
【請求項１６】
上記ＣＢＳ−ＳＣＦは
放送メッセージサービスのための開放型ＡＰＩをＷＳＤＬ（Ｗｅｂ  Ｓｅｒｖｉｃｅ  Ｄｅｓｃｒｉｐｔｉｏｎ  Ｌａｎｇｕａｇｅ）で具現して配布し、これを通して接近し呼び出されるメッセージ放送サービスの要請を処理するメッセージ放送ウェブサービス要請処理ブロック；
上記メッセージ放送ウェブサービス要請処理ブロックにおいて呼び出されたウェブサービス要請に基づいてこれを移動通信システムのプロトコルに合わせ変換し、それに対して移動通信システムから受信された処理結果に対する逆変換を実行し、上記ＡＰＩ呼び出しに対するＩＤを下位プロトコルのセッションＩＤに変換し、これを管理するメッセージ変換及び管理ブロック；
上記メッセージ変換及び管理ブロックにおいて処理されたセッション情報を保存するセッション管理ＤＢ；及び
上記メッセージ変換及び管理ブロックにおいて下位プロトコルメッセージに変換された要請を移動通信システムのＣＢＣに伝送し、それから回答を受け上記メッセージ変換及び管理ブロックに伝達するＣＢＣ連動処理ブロックを含むことを特徴とする請求項１５に記載の開放型ＡＰＩを利用したメッセージ放送サービス提供システム。
【請求項１７】
上記サービス地域はＧＡＤ（Ｇｅｏｇｒａｐｈｉｃａｌ  Ａｒｅａ  Ｄｅｓｃｒｉｐｔｉｏｎ）規格で規定した楕円弧（Ｅｌｉｐｓｏｉｄ  Ａｒｃ）表現法または多角形表現法で表現されることを特徴とする請求項１２に記載の開放型ＡＰＩを利用したメッセージ放送サービス提供システム。
【請求項１８】
上記メッセージ放送応用サーバーとＰａｒｌａｙゲートウェー間の情報伝達は相互ウェブサービス伝送に使用されるＳＯＡＰ（Ｓｉｍｐｌｅ  Ｏｂｊｅｃｔ  Ａｃｃｅｓｓ  Ｐｒｏｔｏｃｏｌ）メッセージからなることを特徴とする請求項１２に記載の開放型ＡＰＩを利用したメッセージ放送サービス提供システム。
【請求項１９】
上記ＰａｒｌａｙゲートウェーはＳＭＰＰ（Ｓｈｏｒｔ  Ｍｅｓｓａｇｅ  Ｐｅｅｒ−ｔｏ−Ｐｅｅｒ）プロトコルを利用して移動通信システムのＣＢＣに接近することを特徴とする請求項１２に記載の開放型ＡＰＩを利用したメッセージ放送サービス提供システム。
【請求項２０】
開放型ＡＰＩを通して移動通信システムのセル放送サービス（ＣＢＳ）能力を利用して特定サービス地域に存在する移動通信端末に放送メッセージを伝送するための開放型ＡＰＩを利用したメッセージ放送応用サーバーにおいて、
情報提供者がサービス地域を構成し、放送メッセージを作成できるように支援する使用者インタフェースを提供し、上記使用者インタフェースを通して情報提供者からメッセージ放送サービスと係わる要請を受信したり、メッセージ放送サービスと係わる情報を使用者に提供する使用者インタフェース処理部；
上記使用者インタフェース処理部においてメッセージ放送サービスが行なわれる地域を表現するための地図データを保存するデータベース；及び
上記使用者インタフェース処理部を通して受信された情報提供者の要請に応じて放送メッセージの処理に対する命令を構成して開放型ＡＰＩを呼び出し、それに対する回答を受信するメッセージ放送処理ロジック部を含むことを特徴とする開放型ＡＰＩを利用したメッセージ放送応用サーバー。
【請求項２１】
上記メッセージ放送処理ロジック部は
上記使用者インタフェース処理部を通して受信された情報提供者の要請に応じて設定された形態で放送メッセージ処理命令を生成し、各放送メッセージに対するログ情報を管理するメッセージ構成及び管理ブロック；
上記メッセージ構成及び管理ブロックにおいて管理される放送メッセージのログ情報を保存する保存部；及び
開放型ＡＰＩを呼び出して上記メッセージ構成及び管理ブロックにおいて構成された放送メッセージ処理命令及び質疑を移動通信システムに伝送し、それに対する回答を受信して上記メッセージ構成及び管理ブロックに伝達するゲートウェイ連動ブロックを含むことを特徴とする請求項２０に記載の開放型ＡＰＩを利用したメッセージ放送応用サーバー。
【請求項２２】
メッセージ放送サービス提供のために移動通信システムのセル放送センター（ＣＢＣ）に対する開放型ＡＰＩを提供するＰａｒｌａｙゲートウェイにおいて、
放送メッセージサービスのための開放型ＡＰＩをＷＳＤＬ（Ｗｅｂ  Ｓｅｒｖｉｃｅ  Ｄｅｓｃｒｉｐｔｉｏｎ  Ｌａｎｇｕａｇｅ）で具現して配布し、これを通して接近して呼び出されるメッセージ放送サービスの要請を処理するメッセージ放送ウェブサービス要請処理ブロック；
上記メッセージ放送ウェブサービス要請処理ブロックにおいて呼び出されたウェブサービス要請に基づいてこれを移動通信システムのプロトコルに合わせて変換し、それに対して移動通信システムから受信された処理結果に対する逆変換を実行し、上記ＡＰＩ呼び出しに対するＩＤを下位プロトコルのセッションＩＤに変換し、これを管理するメッセージ変換及び管理ブロック；
上記メッセージ変換及び管理ブロックにおいて処理されたセッション情報を保存するセッション管理ＤＢ；及び
上記メッセージ変換及び管理ブロックにおいて下位プロトコルメッセージに変換された要請を移動通信システムのＣＢＣに伝送し、それから回答を受け上記メッセージ変換及び管理ブロックに伝達するＣＢＣ連動処理ブロックからなるＣＢＳ−ＳＣＦを含むことを特徴とするＰａｒｌａｙゲートウェイ。
【発明の詳細な説明】
【技術分野】
【０００１】
本発明は、第３の情報提供者が容易に移動通信システムのセル放送サービス（ＣＢＳ）を利用して特定サービス地域内にある多数の移動通信端末に所望の情報を放送できるようにする開放型ＡＰＩを利用したメッセージ放送サービス提供システム及びその方法に関するものである。
【背景技術】
【０００２】
セル放送サービス（ＣＢＳ：Ｃｅｌｌ  Ｂｒｏａｄｃａｓｔｉｎｇ  Ｓｅｒｖｉｃｅ）は移動通信システムを通して提供される通信網能力として、移動通信システムの基地局を通して多数の移動通信端末に短文メッセージやマルチメディアメッセージを同時に伝送するサービスである。このようなＣＢＳは個人別情報到達率が短文メッセージサービス（ＳＭＳ）やマルチメディアメッセージサービス（ＭＭＳ）より低いが、移動通信システムの交換機負荷下及びペイジングチャンネルのトラフィックが少なく、かつ送り出し原価も安く、注文型ビデオ（ＶＯＤ）のようなマルチメディア情報伝達と位置基盤サービス（ＬＢＳ）が可能で地域基盤のモバイル広告マーケティングが可能であるという長所がある。
【０００３】
上記ＣＢＳを利用して提供され得る情報の例を挙げると、天気、交通状況、災難／災害の警報などがあり、さらにサービスの特性上、主に特定地域を基に提供される際意味のある情報あるいは、不特定多数が共通して関心を持つ情報などがあり得る。
【０００４】
上述した情報は移動通信システム内に具備されるセル放送センター（ＣＢＣ：Ｃｅｌｌ  Ｂｒｏａｄｃａｓｔ  Ｃｅｎｔｅｒ）を通して多数の移動通信端末に放送され、受信者は移動通信端末に情報受信可否及び関心チャンネルを登録することにより、所望の情報を受信することが可能である。
【０００５】
ところが、既存のセル放送サービスでは放送するコンテンツ及び情報を提供する主体が移動通信事業者別にそれぞれ運営されているので、第３のサービス事業者あるいは公共情報提供を目的とする団体などの第３の情報提供者が上記セル放送サービスを通して移動通信使用者に情報を提供しようとする場合、移動通信システムのＣＢＳ能力を利用しにくかった。
【０００６】
例えば、セル放送サービスを通して台風、洪水、地震津波などが発生する地域に警報して国家的な人名及び財産の損失を予防しようとする場合、こうした情報を提供しようとする各機関や団体は各移動通信事業者と個別的に交渉を行い、それぞれの移動通信システムで要求されるインタフェースに合うようにサービス提供システムを構築した後、運営しなければならない。これは資源と費用側面からみた時、非常に非效率的であるという大きな問題点がある。
【０００７】
これに反して、近年応用サービス係層と通信網の伝達網係層の間に標準化されたインタフェースを提供することにより、有無線電話連結（Ｃａｌｌ  Ｃｏｎｔｒｏｌ）機能、短文メッセージ（ＳＭＳ）及びマルチメディアメッセージ（ＭＭＳ）送受信機能、特定加入者の位置情報検索などのような有無線通信網能力に対して抽象化されたＡＰＩ（Ａｐｐｌｉｃａｔｉｏｎ  Ｐｒｏｇｒａｍ  Ｉｎｔｅｒｆａｃｅ）を定義して使用できるようにする開放型ＡＰＩ技術が、Ｐａｒｌａｙグループによって提案され３世代移動通信の事実上標準団体である３ＧＰＰのメンバーと共にＪＷＧ（Ｊｏｉｎｔ  Ｗｏｒｋｉｎｇ  Ｇｒｏｕｐ）活動を通して３ＧＰＰ、ＥＴＳＩ、３ＧＰＰ２などの規格で公表されている。
【０００８】
上記開放型ＡＰＩは第三者が特定通信網に従属されず、サービスの開発及び管理を容易に、かつ早くすることができるようにする基盤環境を提供するものとして、現在開放型ＡＰＩを通して活用することができる通信網の能力は有無線電話連結及び付加的な呼処理能力ＳＭＳ／ＭＭＳ送受信、位置情報提供、課金／勘定管理（Ｃｈａｒｇｉｎｇ＆Ａｃｃｏｕｎｔ  Ｍａｎａｇｅｍｅｎｔ）能力、ＰＡＭ（Ｐｒｅｓｅｎｃｅ  Ａｎｄ  Ａｖａｉｌａｂｉｌｉｔｙ）情報程度である。
【０００９】
しかし、このような開放型ＡＰＩ構造によって、移動通信事業者ではない第３のサービス事業者あるいは団体でセル放送サービスを提供することができれば、単一化されたインタフェースを通してセル放送サービス能力に対する接近が容易になり、セル放送サービス能力を応用した様々なサービスの生成及び提供が容易になリ得る。
【００１０】
これにセル放送サービスという通信網能力に対して開放型ＡＰＩを定義し、これによるサービスの処理及び提供方法の提案が要求されている。
【発明の開示】
【発明が解決しようとする課題】
【００１１】
本発明は上述した要求を満せるために提案されたものとして、その目的は開放型ＡＰＩ技術に基づいて移動通信システムの外部においてセル放送サービス（ＣＢＳ）能力を利用できるようにする開放型ＡＰＩを利用したメッセージ放送サービス提供システム及び方法を提供することである。
【００１２】
さらに、本発明の他の目的は、第３の情報提供者が特定移動通信システムに従属されないながら、容易にセル放送サービス（ＣＢＳ）能力に接近して特定サービス地域内にある不特定多数の移動通信端末にテキスト形式のメッセージを放送できるようにする開放型ＡＰＩを利用したメッセージ放送サービス提供システム及びその方法を提供することである。
【課題を解決するための手段】
【００１３】
上述した目的を成し遂げるための構成手段として、本発明はメッセージ放送応用サーバーが開放型ＡＰＩを通して移動通信システムのセル放送サービス（ＣＢＳ）能力を利用して多数の移動通信端末に放送メッセージを伝送する開放型ＡＰＩを利用したメッセージ放送サービス提供方法において、第３の情報提供者に放送メッセージ作成及びサービス地域の構成のための使用者インタフェースを提供する段階；上記使用者インタフェースを通して第３の情報提供者から放送メッセージ伝送要請を受信する段階；上記第３の情報提供者の放送メッセージ伝送要請を受信すると、上記使用者インタフェースを通して作成された放送メッセージとサービス地域を利用して放送メッセージ伝送要請命令を生成する段階；及び開放型ＡＰＩを通して上記放送メッセージ伝送要請命令を移動通信システムに伝達する段階を含むことを特徴とする。
【００１４】
さらに、本発明は上述した目的を成し遂げるすための他の構成手段として、第３の情報提供者が移動通信システムのセル放送サービス能力を通して端末に所定メッセージを放送するための開放型ＡＰＩを利用したメッセージ放送サービス提供システムにおいて、第３の情報提供者が放送メッセージの作成及び放送メッセージを伝送するサービス地域を構成できるように使用者インタフェースを提供し、上記使用者インタフェースを通して伝達された第３の情報提供者の放送メッセージ及びサービス地域情報に基づいてメッセージ放送のための開放型ＡＰＩを呼び出すメッセージ放送応用サーバー；及び移動通信システムの下部網資源とプロトコル連動によって、上記メッセージ放送応用サーバーのメッセージ放送サービスと係わる要請を移動通信システムのＣＢＣのプロトコルに合わせ変換して上記ＣＢＣに伝達し、上記ＣＢＣから伝達されたメッセージを逆変換して上記メッセージ放送応用サーバーに伝達するＰａｒｌａｙ（パーレイ）ゲートウェイを含むことを特徴とする。
【００１５】
さらに、本発明は情報提供者がサービス地域を構成し、放送メッセージを作成できるように支援する使用者インタフェースを提供し、上記使用者インタフェースを通して情報提供者からメッセージ放送サービスと係わる要請を受信したり、メッセージ放送サービスと係わる情報を使用者に提供する使用者インタフェース処理部；上記使用者インタフェース処理部でサービス地域を構成するのに必要な地図データを保存するデータベース；及び上記使用者インタフェース処理部を通して受信された情報提供者の要請に応じて放送メッセージの処理に対する命令を構成し開放型ＡＰＩを呼び出し、それに対する回答を受信するメッセージ放送処理ロジック部を含み、開放型ＡＰＩを通して移動通信端末に放送メッセージを伝送することができる開放型ＡＰＩを利用したメッセージ放送応用サーバーを提供する。
【００１６】
また、本発明は、放送メッセージサービスのための開放型ＡＰＩをＷＳＤＬ（Ｗｅｂ  Ｓｅｒｖｉｃｅ  Ｄｅｓｃｒｉｐｔｉｏｎ  Ｌａｎｇｕａｇｅ）で具現して配布し、これを通して接近して呼び出されるメッセージ放送サービスの要請を処理するメッセージ放送ウェブサービス要請処理ブロック；上記メッセージ放送ウェブサービス要請処理ブロックで呼び出されたウェブサービス要請を移動通信システムのプロトコルに合わせて変換し、それに対して移動通信システムから受信された処理結果に対する逆変換を実行し、上記ＡＰＩ呼び出しに対するＩＤを下位プロトコルのセッションＩＤに変換し、これを管理するメッセージ変換及び管理ブロック；上記メッセージ変換及び管理ブロックで処理されたセッション情報を保存するセッション管理ＤＢ；及び上記メッセージ変換及び管理ブロックで下位プロトコルメッセージに変換された要請を移動通信システムのＣＢＣに伝送し、それから回答を受け上記メッセージ変換、並びに管理ブロックに伝達するＣＢＣ連動処理ブロックからなるＣＢＳ−ＳＣＦを含み、メッセージ放送応用サーバーが開放型ＡＰＩを通して移動通信システムのセル放送サービス（ＣＢＳ）能力を利用して特定サービス地域に存在する移動通信端末に放送メッセージを伝送できるようにするＰａｒｌａｙゲートウェーを提供する。
【発明の効果】
【００１７】
本発明は、既存の移動通信事業者だけが可能であったセル放送サービス（ＣＢＳ：Ｃｅｌｌ  Ｂｒｏａｄｃａｓｔｉｎｇ  Ｓｅｒｖｉｃｅ）能力を開放して第３の情報提供者が手軽く接近して使用可能にすることにより様々な分野に活用することができ、情報提供者が移動通信システムの構造に対して悩む必要がなく、ただ応用サーバーに接続してメッセージを伝送することができる優れた效果がある。
【００１８】
さらに、本発明はメッセージ放送サービスを利用しようとする主体に同一なインタフェースを安全に提供することが可能で、サービス提供主体が増えても手軽い拡張性を提供する效果がある。
【００１９】
とりわけ、災難地域、デパート、大型割り引き店、空港、学校などのように特定地域に基づいた情報の提供あるいは商業的な目的の広告伝達などに容易に活用することが可能である。
【発明を実施するための最良の形態】
【００２０】
以下、添付の図面に基づいて本発明によるメッセージ放送サービス提供システム及びその方法について説明する。
【００２１】
本発明は、移動通信システムで提供されるＣＢＳ能力と連係したメッセージ放送サービスに対する開放型ＡＰＩを提供しつつ、これによって行なわれるメッセージ放送サービス方法及び装置を提示するものとして、本発明はＣＢＳ能力を有する２Ｇあるいは３Ｇ移動通信網及び以降のＣＢＳ能力を提供する全移動通信網に共通して適用することが可能である。
【００２２】
図１は、本発明によるメッセージ放送サービスの網構成図である。図１を参照すれば、メッセージ放送サービス網は、情報提供者端末（１１、１２）と、有無線インターネット（１３）と、メッセージ放送応用サーバー（１４）と、Ｐａｒｌａｙゲートウェイ（１５）と、移動通信システム（１６）と、多数の移動通信端末（１７、１８）からなる。
【００２３】
上記情報提供者端末（１１、１２）はメッセージ放送サービスする情報を提供する情報提供者（例えば、移動通信事業者と関連のない第３のサービス事業者あるいは公共目的の機関や団体など）がメッセージ放送を要請するために利用する端末として、有線インターネットに繋がるノート・パンコンあるいはデスクトップのようなパーソナルコンピューター（ＰＣ）と、無線インターネットに結合可能な移動通信端末を利用することが可能である。
【００２４】
有無線インターネット（１３）は、上記有線インターネットあるいは無線インターネット接続機能を有する情報提供者端末（１１、１２）を本発明によるメッセージ放送サービスを実行するメッセージ放送応用サーバー（１４）に結合する。
【００２５】
メッセージ放送応用サーバー（１４）は移動通信システム（１６）の外部に具現されてインターネット領域の資源と通信網領域の能力、特にＣＢＳ能力を結合して移動通信システム（１６）のＣＢＳ能力を利用したメッセージ放送サービスを処理するものとして、メッセージ放送サービスのための使用者インタフェース機能及びサービス処理機能を担う。上記メッセージ放送運営サーバー（１４）はセル放送サービス能力が要求される応用サービスを提供するサーバーとして、例えば、災難防災庁などの災難情報を提供するサーバーや商業的な目的で特定地域の消費者に広告あるいはマーケティング情報を提供するサーバーなどに応用されることができる。
【００２６】
上記メッセージ放送応用サーバー（１４）は使用者インタフェース処理部（１４１）と、データベース（１４２）と、メッセージ放送処理ロジック（１４３）とを具備し、これに対しては後でさらに具体的に説明する。
【００２７】
Ｐａｒｌａｙゲートウェイ（１５）は移動通信システム（６１）のＣＢＳ能力に対する開放型ＡＰＩを支援する開放型サービスゲートウェイとして、ＣＢＳ−ＡＰＩ呼び出しに応じて下部網資源とプロトコル連動を通して呼び出された要請を処理する。こうした処理のために、上記Ｐａｒｌａｙゲートウェイ（１５）にはＣＢＳ−ＳＣＦ（Ｓｅｒｖｉｃｅ  Ｃａｐａｂｉｌｉｔｙ  Ｆｅａｔｕｒｅ）（１５１）を具備する。
【００２８】
上記Ｐａｒｌａｙゲートウェイ（１５）はその外に移動通信システム（１６）で提供する他のサービス機能に対する開放型ＡＰＩを提供することが可能であり、各々のサービス機能別にＳＣＦを具備する。一般的に知られている機能を例えれば、上記Ｐａｒｌａｙゲートウェイ（１５）は短文メッセージを移動通信網に伝達し、それを処理する短文メッセージ能力（ＳＭＳ−ＳＣＦ）、マルチメディアメッセージを移動通信網に伝達してこれを処理するマルチメディアメッセージ能力（ＭＭＳ−ＳＣＦ）、電話呼連結機能を処理する呼連結能力（ＴＰＣ−ＳＣＦ）、特定使用者の状態情報を処理するプレゼンス能力（Ｐｒｅｓｅｎｃｅ  ＳＣＦ）などが具備され得る。上述した能力は本発明のメッセージ放送サービスとは直接的な関連のないものとして、単なるＰａｒｌａｙゲイトウェイ（１５）の構成に対する例を挙げただけであって、本発明においてはメッセージ放送サービスを提供するために、メッセージ放送ＡＰＩの呼び出しを受けこれを通信網に伝達するＣＢＳ−ＳＣＦ（１５１）が必須的に具備されなければならない。
【００２９】
移動通信システム（１６）は、多数の移動通信端末（１７、１８）に音声通話及びデータ通信を含むサービスを提供するシステムとして、移動通信端末（１７、１８）の無線区間通信のための基地局（ＢＴＳ）と、上記基地局を制御するための基地局制御機（ＢＳＣ）、一つ以上の基地局制御機（ＢＳＣ）と繋がって音声通話のための呼交換を実行する交換器（ＭＳＣ）、音声データとパケットデータ間の相互フォーマット変換を実行するための相互連動機能部、上記交換器（ＭＳＣ）と接続されて短文メッセージの送受信を実行する短文サービスセンター（ＳＭＳＣ）と、有無線インターネットと連動して移動通信端末（１７、１８）にパケットデータサービスを提供するためのパケットデータサービスノード（ＰＤＳＮ）と、多数の移動通信端末（１７、１８）にデータを同時に伝達するセル放送サービスを実行するＣＢＣ（Ｃｅｌｌ  Ｂｒｏａｄｃａｓｔ  Ｃｅｎｔｅｒ）を含む。
【００３０】
図１に示す実施例では、移動通信システム（１６）の構成要素中で、本発明のメッセージ放送サービスを実行するのに直接的に係るＣＢＣ（１６１）と、ＢＳＣ（１６２）と、ＢＴＳ（１６３）のみを図示する。ここで、ＣＢＣ（１６１）は移動通信網内部で実際ＣＢＳ要請の処理を担うものとして、上記Ｐａｒｌａｙゲートウェイ（１５）を通して伝達されたセルブロードキャスティング要請を移動通信網のセルＩＤで解釈して、上記セルに該当するＢＳＣ（１６２）及びＢＴＳ（１６３）に放送メッセージを伝達し、上記ＢＳＣ（１６２）及びＢＴＳ（１６３）は上記ＣＢＣ（１６１）から伝達された放送メッセージを情報提供者が構成した地域内に存在する移動通信端末（１７、１８）に伝達する機能を担う。
【００３１】
移動通信端末（１７、１８）は、上記移動通信システム（１６）に加入された移動通信加入者の端末として、無線送受信機能、音声処理機能に加えメッセージ受信及びディスプレー機能を具備する。図１の実施例では、移動通信端末（１７、１８）が属するサービス地域Ａ、Ｂに沿って区分し表示する。ここでサービス地域Ａ、Ｂは各基地局（１６）によって管理されるセル単位からなり、情報提供者によって選択された地域を意味する。すなわち、互いに異なる第３の情報提供者が各々のサービス地域をＡとＢで構成して放送メッセージ伝送を要請する場合、上記サービス地域Ａとサービス地域Ｂにおいて互いに異なる放送メッセージが伝送されることも可能である。
【００３２】
図２及び図３は、本発明によるメッセージ放送応用サーバー（１４）及びＰａｒｌａｙゲートウェイ（１５）の詳細な構成を表した機能ブロック図である。
【００３３】
図２を参照すれば、上記メッセージ放送応用サーバー（１４）は、大きく有無線インターネット（１３）を通してメッセージ放送サービスの使用者インタフェースを提供し、これを通してメッセージ放送サービス関連要請を受信するウェブサーバー（１４１）と、上記ウェプサーバー（１４１）から受信したメッセージ放送サービス関連要請に応じてセル放送サービスに対する開放型ＡＰＩを呼び出すメッセージ放送処理ロジック（１４３）で構成される。
【００３４】
上記ウェブサーバー（１４１）は、情報提供者にサービス地域設定及びサービス地域に放送メッセージの伝送を要請できるように支援するウェブＧＵＩを提供し、上記ウェブＧＵＩを通して情報提供者からメッセージ放送サービスと係わる要請を受信する使用者インタフェース処理部（１４１）と、メッセージ放送サービスが行なわれる地域を表現するための地図データを保存するデータベース（１４２）を含み、上記メッセージ放送処理ロジック（１４３）は上記使用者インタフェース処理部（１４１）を通して入力された情報提供者の要請に応じて設定された形態で放送メッセージを構成し管理するメッセージ構成及び管理ブロック（１４３ａ）と、上記メッセージ構成及び管理ブロック（１４３ａ）から構成されて伝送された放送メッセージのログ情報を保存する保存部（１４３ｂ）と、Ｐａｒｌａｙゲートウェイ（１５）と連動して開放型ＡＰＩを呼び出して上記メッセージ構成及び管理ブロック（１４３ａ）で構成されたメッセージの放送要請及びメッセージ伝送状態の質疑を伝送するゲートウェイ連動ブロック（１４３ｃ）を含む。
【００３５】
図３を参照すれば、上記Ｐａｒｌａｙゲートウェイ（１５）のＣＢＳ−ＳＣＦ（１５１）は、上記メッセージ放送応用サーバー（１４）のゲートウェイ連動ブロック（１４３ｃ）からメッセージ放送に係わる要請を受け移動通信システム（１６）で処理可能なフォーマットに変換して移動通信システム（１６）のＣＢＣ（１６１）に伝達する役割を果たすものとして、メッセージ放送ＡＰＩをＷＳＤＬ（Ｗｅｂ  Ｓｅｒｖｉｃｅ  Ｄｅｓｃｒｉｐｔｉｏｎ  Ｌａｎｇｕａｇｅ）で具現して配布し、これを通して接近して呼び出されるメッセージ放送ウェブサービスの処理を担うメッセージ放送ウェブサービス要請処理ブロック（１５１）と、上記メッセージ放送ウェブサービス要請処理ブロック（１５１）で要請されたウェブサービス呼び出しを基にこれをＣＢＣ（１６１）に伝達するためにメッセージ変換及びＣＢＣ（１６１）から受信された処理結果に対するメッセージ逆変換を実行し、ウェブサービス呼び出しに対するＩＤをＣＢＣ（１６１）接近プロトコルであるＳＭＰＰ（Ｓｈｏｒｔ  Ｍｅｓｓａｇｅ  Ｐｅｅｒ−ｔｏ−Ｐｅｅｒ）セッションのＩＤに変換し、これに対する管理を担うメッセージ変換及び管理ブロック（１５１ｂ）と、上記セッション情報を保存するセッション管理ＤＢ（１５１ｃ）と、上記メッセージ変換及び管理ブロック（１５１ｂ）を通してＳＭＰＰのような下位プロトコルメッセージに変換された要請をＳＭＰＰプロトコル命令で伝送し、その回答を受けメッセージ変換及び管理ブロック（１５１ｂ）にリターンするＣＢＣ連動処理ブロック（１５１ｄ）からなる。
【００３６】
以上で説明した構成に基づく本発明によるメッセージサービス提供方法の全体的な流れを説明する。
【００３７】
ＣＢＳ通信網能力を利用して特定地域の移動通信使用者に情報を提供しようとする情報提供者は端末（１１、１２）に有無線インターネット（１３）を通してメッセージ放送応用サーバー（１４）に接続する。
【００３８】
上記メッセージ放送応用サーバー（１４）の使用者インタフェース処理部（１４１）は情報提供者にメッセージ放送サービス要請及びサービス地域の構成のためのウェブＧＵＩを提供し、上記ウェブＧＵＩを通して入力された情報を処理する。上記ウェブＧＵＩを提供することにおいて、上記データベース（１２）に保存された地図データが使用される。
【００３９】
従って、上記情報提供者は上記メッセージ放送応用サーバー（１４）が提供する使用者インタフェースを通して放送してほしいメッセージを作成することができ、メッセージが放送されるサービス地域を上記使用者インタフェース処理部（１４１）で提供されるＧＵＩインタフェースを通して構成することが可能である。例えば、上記使用者インタフェース処理部（１４１）を通してデータベース（１２）に保存された地図をウェブ画面で提供すれば、マウスなどを利用して所望の領域を指定することによってサービス地域を構成することができる。ここで、サービス地域を構成するための地理的情報の表現はＧＡＤ（Ｇｅｏｇｒａｐｈｉｃａｌ  Ａｒｅａ  Ｄｅｓｃｒｉｐｔｉｏｎ）規格（３ＧＰＰ  ＴＳ  ２３．０３２）で規定した楕円弧（Ｅｌｌｉｐｓｏｉｄ  Ａｒｃ）表現法あるいは多角形（Ｐｏｌｙｇｏｎ）表現法などによって行なわれる。
【００４０】
上記メッセージ放送応用サーバー（１４１）のメッセージ放送処理ロジック（１４３）はこのような情報提供者の入力を受け、メッセージ放送サービス用ＡＰＩ呼び出しのためのオペレーションを構成し、Ｐａｒｌａｙゲートウェイ（１５）が提供するメッセージ放送ウェブサービスを呼び出す。
【００４１】
さらに具体的に、上記使用者インタフェース処理部（１４１）から受信された情報提供者のメッセージ放送サービス要請はメッセージ放送処理ロジック（１４３）のメッセージ構成及び管理ブロック（１４３ａ）に渡され、ここでは要請に応じて放送メッセージ伝送要請命令や取り消し命令、及び状態質疑メッセージを構成して伝送し、それに対する結果の伝達を受け管理しながら、各放送メッセージ伝送と係わるログをデータベース（１４３ｂ）に保存する。上記放送メッセージ処理と係わる実際的なウェブサービスの呼び出しはゲートウェイ連動ブロック（１４３ｃ）で担い、ＳＯＡＰメッセージの送受信処理を担う。
【００４２】
ここで、メッセージ放送応用サーバー（１４）がＰａｒｌａｙゲートウェイ（１５）との通信許可を受けるためには接近しようとするＣＢＣ−ＳＣＦ（１５１）機能に対する認証及び権限獲得過程を予め経るようになるが、この過程はＰａｒｌａｙ／ＯＳＡ規格において勧告される方式で行なわれることが可能であり、ここではその具体的な説明を省略する。
【００４３】
上述したメッセージ放送応用サーバー（１４）からのメッセージ放送ＡＰＩ呼び出しに対する処理はＰａｒｌａｙゲートウェイ（１５）のＣＢＳ−ＳＣＦ（１５１）が担うが、上記ＣＢＳ−ＳＣＦ（１５１）はこの要請をプロトコルオペレーション形態に変換して移動通信システム（１６）に具備されたＣＢＣ（１６１）に伝達する。
【００４４】
さらに具体的に、上記ＣＢＳ−ＳＣＦ（１５１）のメッセージ放送ウェブサービス要請処理ブロック（１５１ａ）はメッセージ放送ＡＰＩをＷＳＤＬで配布し、これを通して接近し呼び出されるメッセージ放送ウェブサービスの処理を実行し、上記メッセージ変換及び管理ブロック（１５１ｂ）においては要請されたウェブサービス呼び出しを基にこれをＣＢＣに伝達するために適切なメッセージに変換し、逆にＣＢＣ（１６１）から受信された結果をウェブサービス用メッセージに逆変換して上記メッセージ放送要請処理ブロック（１５１ａ）を通してメッセージ放送応用サーバー（１４）に伝達する。
【００４５】
上記メッセージ変換及び管理ブロック（１５１ｂ）を通してＳＭＰＰのような下位プロトコルメッセージに変換された要請はＣＢＣ連動処理ブロック（１５１ｄ）に渡され、移動通信システム（１６）のＣＢＣ（１６１）に伝送され、それによる回答を上記ＣＢＣ（１６１）から受け上記メッセージ変換及び管理ブロック（１５１ｂ）に伝達する。
【００４６】
上記ＣＢＣ（１６１）におけるメッセージ処理は３ＧＰＰあるいは３ＧＰＰ２の規格で明示されたＣＢＳサービスのメッセージ処理手続きに従って行なわれ、最終的に上記情報提供者が構成したサービス地域内の全移動通信端末（１７、１８）にメッセージが放送される。
【００４７】
この際、上記移動通信端末（１７、１８）におけるメッセージ受信は一般的に短文メッセージのようにテキストが端末（１７、１８）画面に表示される形で表れる。
【００４８】
図４は、本発明のメッセージ放送サービスのための信号流れ図である。上記メッセージ放送応用サーバー（１４）とＰａｒｌａｙゲートウェイ（１５）間の情報はウェブサービスの伝送に使用されるＳＯＡＰ（Ｓｉｍｐｌｅ  Ｏｂｊｅｃｔ  Ａｃｃｅｓｓ  Ｐｒｏｔｏｃｏｌ）メッセージで伝達され、ＳＯＡＰ内のオペレーションとパラメーターはウェブサービスを記述するＷＳＤＬに準して作成される。そして、Ｐａｒｌａｙゲートウェイ（１５）と移動通信システム（１６）のＣＢＣ（１６１）とのインタフェースは外部ノードで上記ＣＢＣ（１６１）に接近するプロトコルを利用し、代表的にはＳＭＰＰｖ５．０が使用される。
【００４９】
上記メッセージ応用サーバー（１４）によって行なわれるメッセージ放送サービスのために定義された開放型ＡＰＩの機能は３種類に分けられる。
【００５０】
第一は、メッセージ放送要請を処理する機能である。
所定の情報提供者から放送メッセージ伝送要請が受信されると、上記メッセージ放送応用サーバー（１４）は放送メッセージ要請命令ＳｅｎｄＣｂｓ（）を生成してＰａｒｌａｙゲートウェイ（１５）に伝達する（Ｓ４０１、Ｓ４０２）。
【００５１】
上記放送メッセージ要請命令ＳｅｎｄＣｂｓ（）には、該メッセージが放送されるサービス地域（ＢｒｏａｄｃａｓｔＡｒｅａＳｅｔ）、メッセージの送信者として放送されたメッセージに表示される送信者名前（ＳｅｎｄｅｒＮａｍｅ）、情報提供者が要請した放送メッセージ（ＢｒｏａｄｃａｓｔＭｅｓｓａｇｅ）、該メッセージが最初に放送される時間を表す伝送時間（ＤｅｌｉｖｅｒｙＴｉｍｅ）、該メッセージの放送回数を表す繰り返し回数（ｎｕｍｂｅｒＯＦＲｅｐｅｔｉｔｉｏｎ）、メッセージ放送を繰り返す場合のメッセージ間の時間間隔を表す放送周期（ｆｒｅｑｕｅｎｃｙＩｎｔｅｒｖａｌ）、繋がった相互作用のための接続ポイントに使用されるコールバック住所（ｃａｌｌｂａｃｋＮｕｍｂｅｒ）が含まれる。
【００５２】
上記で、サービス地域（ＢｒｏａｄｃａｓｔＡｒｅａＳｅｔ）を構成するために地理的な地域を表現する代表的な方法には、ＧＡＤ（Ｇｅｏｇｒａｐｈｉｃａｌ  Ａｒｅａ  Ｄｅｓｃｒｉｐｔｉｏｎ）規格（３ＧＰＰ  ＴＳ２３．０３２）で規定した楕円弧（Ｅｌｉｐｓｏｉｄ  Ａｒｃ）表現法あるいは多角形（Ｐｏｌｙｇｏｎ）表現法などが使用され得る。
【００５３】
上記で、送信者名前（ＳｅｎｄｅｒＮａｍｅ）と伝送時間（ＤｅｌｉｖｅｒｙＴｉｍｅ）とコールバック住所（ｃａｌｌｂａｃｋＮｕｍｂｅｒ）は情報提供者の要請に応じて含まれないことも可能であり、上記の中で伝送時間（ＤｅｌｉｖｅｒｙＴｉｍｅ）が含まれない場合、該メッセージの伝送は受信した時点で直ちに行なわれ、送信者名前（ｓｅｎｄｅｒＮａｍｅ）とコールバック住所（ｃａｌｌｂａｃｋＮｕｍｂｅｒ）が含まれない場合、放送されるメッセージで上記項目が表示されない。そして、上記放送メッセージ（ｂｒｏａｄｃａｓｔＭｅｓｓａｇｅ）は簡単にＳＭＳのようなテキスト形態の短文メッセージも可能で、ＭＭＳのようなマルチメディアメッセージも可能である。
【００５４】
上記のように構成された放送メッセージ要請命令ＳｅｎｄＣｂｓ（）を受信したＰａｒｌａｙゲートウェイ（１５）のＣＢＳ−ＳＣＦ（１５１）は上記放送メッセージ要請命令ＳｅｎｄＣｂｓ（）をＳＭＰＰプロトコルのオペレーションｂｒｏａｄｃａｓｔ＿ｓｍ（）に変換して移動通信システム（１６）に伝達する（Ｓ４０３）。これに、移動通信システム（１６）のＣＢＣ（１６１）は上記オペレーションｂｒｏａｄｃａｓｔ＿ｓｍ（）を処理して、サービス地域をセルＩＤに変換し、上記変換されたセルに該当する基地局（１６３）に放送メッセージを伝達し、これに上記基地局（１６３）を通して情報提供者が指定したサービス地域の全移動通信端末（１７）に上記情報提供者の放送メッセージを伝達する。そして、その伝達結果を回答メッセージｂｒｏａｄｃａｓｔ＿ｓｍ＿ｒｅｓｐ（）を通してＰａｒｌａｙゲートウェイ（１５）に伝達する（Ｓ４０５）。
【００５５】
Ｐａｒｌａｙゲートウェイ（１５）は上記回答メッセージｂｒｏａｄｃａｓｔ＿ｓｍ＿ｒｅｓｐ（）から上記放送メッセージ要請命令ＳｅｎｄＣｂｓ（）に対する伝送状態確認あるいは取り消しなどの以降の操作のために伝送要請の識別値ｒｅｑｕｅｓｔＩｄｅｎｔｉｆｉｅｒを生成して上記メッセージ放送応用サーバー（１５）に伝送する（Ｓ４０６）。
【００５６】
メッセージ放送応用サーバー（１５）は、上記受信された伝送要請識別値ｒｅｑｕｅｓｔＩｄｅｎｔｉｆｉｅｒを保存し、放送メッセージの伝送要請の処理結果を使用者に提供する（Ｓ４０７）。
【００５７】
第二は、以前に要請した放送メッセージ伝送要請に対する伝送状態を確認する機能である。
【００５８】
メッセージ放送応用サーバー（１４）は前述したように放送メッセージ伝送を要請した提供者から上記要請された放送メッセージ伝送状態に対する確認要請を受信すると（Ｓ４０８）、上記段階（Ｓ４０７）で獲得した伝送要請識別者ｒｅｑｕｅｓｔＩｄｅｎｔｉｆｉｅｒを因子として放送状態質疑命令ｇｅｔＢｒｏａｄｃａｓｔＳｔａｔｕｓ（）を構成してＰａｒｌａｙゲートウェイ（１５）に伝送する（Ｓ４０９）。
【００５９】
これに、Ｐａｒｌａｙゲートウェイ（１５）のＣＢＳ−ＳＣＦ（１５１）は上記放送状態質疑命令ｇｅｔＢｒｏａｄｃａｓｔＳｔａｔｕｓ（）をＳＭＰＰプロトコルがオペレーションｑｕｅｒｙ＿ｂｒｏａｄｃａｓｔ＿ｓｍ（）にマッピング変換して移動通信システム（１６）に特定放送メッセージに対する伝送状態を質疑する。これに上記移動通信システム（１６）のＣＢＣ（１６１）が上記オペレーションｑｕｅｒｙ＿ｂｒｏａｄｃａｓｔ＿ｓｍ（）を処理して上記伝送要請識別値（ｒｅｑｕｅｓｔ  Ｉｄｅｎｔｉｆｉｅｒ）に分けされる放送メッセージの伝送状態を確認して、  その結果を回答メッセージｑｕｅｒｙ＿ｂｒｏａｄｃａｓｔ＿ｒｅｓｐ（）を通して上記Ｐａｒｌａｙゲートウェイ（１５）に伝送する（Ｓ４１０、Ｓ４１１）。これに上記Ｐａｒｌａｙゲートウェイ（１５）は上記受信された結果を地域別放送状態を表現するパラメーターＡｒｒａｙＯｆＢｒｏａｄｃａｓｔＳｔａｔｕｓに載せメッセージ放送応用サーバー（１４）に伝送する（Ｓ４１２）。
【００６０】
上記地域別放送状態パラメーターＡｒｒａｙＯｆＢｒｏａｄｃａｓｔＳｔａｔｕｓはメッセージ放送要請をした各々のサービス地域と、該サービス地域の伝送状態値の対（ｐａｉｒ）で表現される。ここで、放送状態を表す状態値には該放送メッセージの伝送要請を受信したが、まだ伝送されなかったことを表すメッセージ伝送待機（ＭｅｓｓａｇｅＷａｉｔｉｎｇ）、移動通信システム（１６）で移動通信端末（１７）に該放送メッセージを伝送中もしくはリトライ中であることを表すメッセージ伝送（Ｅｎｒｏｕｔｅ）、成功的に移動通信端末（１７）に伝達されたことを表す伝達（Ｄｅｌｉｖｅｒｅｄ）、ＣＢＣ（１６１）あるいはＰａｒｌａｙゲートウェイ（１５）の内部問題によってメッセージ状態が不確実であることを表す不確実な伝達（ｄｅｌｉｖｅｒｙＵｎｃｅｒｔａｉｎ）、伝送中にエラーが発生したり、これ以上伝送の試みができない場合を表す伝達不可（ＤｅｌｉｖｅｒｙＩｍｐｏｓｓｉｂｌｅ）、該放送メッセージの有効期間が過ぎた場合を表す伝送解除（Ｅｘｐｉｒｅｄ）、メッセージが削除されたことを表す削除（Ｄｅｌｅｔｅｄ）が含まれる。
【００６１】
上記地域別放送状態パラメーターＡｒｒａｙＯｆＢｒｏａｄｃａｓｔＳｔａｔｕｓを受信したメッセージ放送応用サーバー（１４）はこれを使用者が認識するようにウェブＧＵＩなどで表す。従って、情報提供者はメッセージ放送応用サーバー（１４）に接続して自分が要請した放送メッセージの伝送状態を確認することができるようになる（Ｓ４１３）。
【００６２】
第三に、既要請された放送メッセージ伝送要請を取り消す機能である。これは既要請された放送メッセージ伝送要請が処理中か処理前の場合のみ有効である。
【００６３】
上記メッセージ放送応用サーバー（１４）は、前述したように放送メッセージ伝送を要請した情報提供者から既要請された放送メッセージの伝送取り消しを受信すると（Ｓ４１４）、前の段階（Ｓ４０６）で獲得した伝送要請識別値ｒｅｑｕｅｓｔ  Ｉｄｅｎｔｉｆｉｅｒを因子とする、取り消し要請命令ｃａｎｃｅｌＣｂＳ（）を生成し、これをＰａｒｌａｙゲートウェイ（１５）に伝送する。
【００６４】
これを受信したＰａｒｌａｙゲートウェイ（１５）のＣＢＳ−ＳＣＦ（１５１）は、上記取り消し要請命令ｃａｎｃｅｌＣＢＳ（）をＳＭＰＰプロトコルの放送取り消しオペレーションｃａｎｃｅｌ＿ｂｒｏａｄｃａｓｔ＿ｓｍ（）でマッピング変換して移動通信システム（１６）に伝送し、移動通信システム（１６）のＣＢＣ（１６１）から取り消し処理の結果ｃａｎｃｅｌ＿ｂｒｏａｄｃａｓｔ＿ｓｍ＿ｒｅｓｐ（）を受信する（Ｓ４１６、Ｓ４１７）。
【００６５】
以上説明した本発明は、第３の情報提供者が移動通信システムのＣＢＳ通信網能力を利用するのに適用される。
【００６６】
例えば、台風、洪水、山火事、局地性豪雨のように災難が予想される状況で消防防災庁のような公共機関がこのような情報を該災難が予想される地域内にいる人々に知らせようとする場合、既存には各移動通信事業者別にそれぞれ異なるインタフェースと整合するシステムを構築しなければならなかったが、本発明によれば、上記情報を提供しようとする公共機関はただサービスインタフェースを提供するメッセージ放送応用サーバー（１４）に接続して放送を所望のサービス地域を構成し、放送するメッセージを作成すれば、上記メッセージ放送応用サーバー（１４）及びＰａｒｌａｙゲートウェイ（１５）を通して該移動通信システム（１６）のインタフェースに合うように処理され、要請したサービス地域の全移動通信端末（１７）に放送メッセージを伝送することができる。
【００６７】
このような公共目的以外にも、特定地域のショッピングモールからマーケティングの目的で周辺地域に在する消費者にクーポンを提供しようとする場合、上記メッセージ放送応用サーバー（１４）にサービス地域をショッピングモール内部あるいは隣近に指定し、伝送するメッセージにクーポン情報を記述すれば、上記メッセージ放送応用サーバー（１４）及びＰａｒｌａｙゲートウェイ（１５）によって移動通信システム（１６）のＣＢＣ（１６１）にＳＭＰＰフォーマットのメッセージが伝達され、セル放送サービスを通して指定されたサービス地域の移動通信端末（１７）にクーポンを伝送することが可能である。
【図面の簡単な説明】
【００６８】
【図１】本発明によるメッセージ放送サービス網の構成図である。
【図２】本発明によるメッセージ放送サービス提供システムにおいて、メッセージ放送応用サーバーの詳細な構成を示すブロック図である。
【図３】本発明によるメッセージ放送サービス提供システムにおいて、Ｐａｒｌａｙゲートウェイの詳細な構成を示すブロック図である。
【図４】本発明によるメッセージ放送サービス提供方法を示す信号流れ図である。
【符号の説明】
【００６９】
１１  ＰＣ（Ｐｅｒｓｏｎａｌ  ｃｏｍｐｕｔｅｒ）
１２  移動通信端末
１３  有/無線インターネット
１４  メッセージ放送応用サーバー
１５  Ｐａｒｌａｙゲートウェイ
１６  移動通信システム
１７、１８  移動通信端末
【図１】
2007104617.tif 000003
【図２】
2007104617.tif 000004
【図３】
2007104617.tif 000005
【図４】
2007104617.tif 000006